(57)【要約】【課題】  生体組織を採取する際の作業を簡略化し、手技を効率良く行えるようにする。【解決手段】  組織捕獲装置２０は、ケース４０に着脱自在な組織捕獲部材４１を有し、組織捕獲部材４１は、上蓋部４７とフィルタ部４８とが一体に形成されている。上蓋部４７は、ケース４０の底部４０Ｂに平行な円盤部４９を有し、この円盤部４９と平行にフィルタ部４８のフィルタ保持面５７が形成されている。ケース４０から組織捕獲部材４１を取り外す際には、上蓋部４７をケース４０から取り出すとフィルタ部４８が一緒に取り出され、かつ生体組織の脱落が防止される。【選択図】    図４
2007054250.tif 000002
【特許請求の範囲】
【請求項１】
採取した組織が送り込まれる容器の開口を塞ぐように着脱される上蓋部と、
前記上蓋部に一体に設けられ、前記容器内に送り込まれた組織を捕獲する組織捕獲面が、前記容器の開口面と平行な前記上蓋部の内面に対向して配置されたフィルタ部と、
を有することを特徴とする組織捕獲部材。
【請求項２】
採取した組織が送り込まれる容器の開口を塞ぐように着脱される上蓋部と、
前記上蓋部に着脱自在に係合し、前記上蓋部と一体的に前記容器に収容可能かつ取り出し可能で、前記容器内に送り込まれた組織を捕獲する組織捕獲面が、前記容器の開口面と平行な前記上蓋部の内面に対向して配置されたフィルタ部と、
を有することを特徴とする組織捕獲部材。
【請求項３】
採取した組織が送り込まれる容器と、
前記容器の開口を覆うように着脱される上蓋部と、
前記上蓋部と共に前記容器に収容可能かつ取り出し可能で、前記容器内に送り込まれた組織を捕獲する組織捕獲面が、前記容器の開口面と平行な前記上蓋部の内面に対向して配置されたフィルタ部と、
前記上蓋部と前記フィルタ部によって前記容器内に仕切られた空間に連通する組織吸引管路と、
前記組織吸引管路に対して前記組織捕獲面を挟むように配置される流体排出管路と、
を有することを特徴とする組織捕獲装置。
【請求項４】
採取した組織を内部に保存するための組織保存容器であって、
組織をフィルタ部の組織捕獲面に捕獲した組織捕獲部材を受け入れ可能で、前記組織捕獲部材の上蓋部によって閉塞可能な開口部を有し、前記開口部の開口面は、前記組織捕獲面と平行であることを特徴とする組織保存容器。
【請求項５】
採取した組織を内部に保存するための組織保存容器であって、
組織を捕獲する組織捕獲面を有するフィルタ部に上蓋部が着脱自在に取り付けられた組織捕獲部材を受け入れ可能で、前記上蓋部によって閉塞可能な開口部を有し、底部の内側に前記組織捕獲部材の前記フィルタ部に係合する係合部が設けられていることを特徴とする組織保存容器。
【請求項６】
請求項３に記載の組織捕獲装置を備えることを特徴とする内視鏡用処置具。
【請求項７】
請求項３に記載の組織捕獲装置を備えることを特徴とする内視鏡。
【発明の詳細な説明】
【技術分野】
【０００１】
本発明は、組織を捕獲する組織捕獲部材、組織捕獲部材を含む組織捕獲装置、捕獲した組織を保存するための組織保存容器、組織捕獲装置を備える内視鏡用処置具、組織捕獲装置を備える内視鏡に関する。
【背景技術】
【０００２】
体内の生体組織などの組織を採取する際には、内視鏡に挿通させた生検鉗子や、高周波スネアで生体組織を採取し、吸引チューブで吸引して体外の組織捕獲装置に回収することが知られている。この場合の組織捕獲装置としては、外筒に複数の収容室を有する内筒を挿入し、外筒の開口を蓋体で閉塞すると共に、蓋体に吸引チューブを接続し、外筒の底部に吸引ポンプのチューブを接続したものがある（例えば、特許文献１参照）。この組織捕獲装置では、収容室の底部に網目状保持壁が設けられており、吸引ポンプを駆動させると、生体組織が吸引チューブから収容室内に導かれ、網目状保持壁に捕獲される。生体組織と共に吸引された流体は、外筒の底部のチューブから排出される。
【特許文献１】実開平６−３８９２１号公報
【発明の開示】
【発明が解決しようとする課題】
【０００３】
従来の組織捕獲装置では、生体組織を捕獲した内筒を取り出すためには、最初に吸引チューブを蓋体から外さなければならかった。さらに、生体組織を検査室などに運ぶためには、外筒から内筒を取り出し、さらに内筒から生体組織を組織保存容器に移し替えなければならなかった。このように、従来の組織捕獲装置では、生体組織を捕獲した後の作業が煩雑であった。特に、内視鏡の手技を行う内視鏡室は暗いので、組織捕獲装置の蓋や、組織保存容器の蓋の取り扱いに手間取ったり、蓋を落としたりし易かった。このような問題は、生体組織を連続して採取するような、いわゆる連続生検の際には、さらに顕著になる。
この発明は、このような課題に鑑みてなされたものであり、生体組織を採取する際の作業を簡略化し、手技を効率良く行えるようにすることを主な目的とする。
【課題を解決するための手段】
【０００４】
上記の課題を解決する本発明の請求項１に係る発明は、採取した組織が送り込まれる容器の開口を塞ぐように着脱される上蓋部と、前記上蓋部に一体に設けられ、前記容器内に送り込まれた組織を捕獲する組織捕獲面が、前記容器の開口面と平行な前記上蓋部の内面に対向して配置されたフィルタ部と、を有することを特徴とする組織捕獲部材とした。
この組織捕獲部材は、容器の開口を塞ぐように装着する上蓋部に、組織を捕獲するフィルタ部が一体に設けられているので、上蓋部を容器に対して着脱するだけでフィルタ部が容器に対して着脱される。さらに、フィルタ部を挿入する容器の開口面に対して組織捕獲面が平行に配置されているので、組織捕獲部材を容器から取り外す際に、組織が組織捕獲面から脱落しない。
【０００５】
請求項２に係る発明は、採取した組織が送り込まれる容器の開口を塞ぐように着脱される上蓋部と、前記上蓋部に着脱自在に係合し、前記上蓋部と一体的に前記容器に収容可能かつ取り出し可能で、前記容器内に送り込まれた組織を捕獲する組織捕獲面が、前記容器の開口面と平行な前記上蓋部の内面に対向して配置されたフィルタ部と、を有することを特徴とする組織捕獲部材とした。
この組織捕獲部材では、容器の開口を塞ぐように装着する上蓋部に、組織を捕獲するフィルタ部を一体的に係合させてあるので、上蓋部を容器に対して着脱するだけでフィルタ部が容器に着脱される。さらに、フィルタ部を挿入する容器の開口面に対して組織捕獲面が平行に配置されているので、組織捕獲部材を容器から取り外す際に、組織が組織捕獲面から脱落しない。なお、組織捕獲部材を容器から取り外した後には、上蓋部とフィルタ部との係合を解除して分離させても良い。
【０００６】
請求項３に係る発明は、採取した組織が送り込まれる容器と、前記容器の開口を覆うように着脱される上蓋部と、前記上蓋部と共に前記容器に収容可能かつ取り出し可能で、前記容器内に送り込まれた組織を捕獲する組織捕獲面が、前記容器の開口面と平行な前記上蓋部の内面に対向して配置されたフィルタ部と、前記上蓋部と前記フィルタ部によって前記容器内に仕切られた空間に連通する組織吸引管路と、前記組織吸引管路に対して前記組織捕獲面を挟むように配置される流体排出管路と、を有することを特徴とする組織捕獲装置とした。
この組織捕獲装置では、組織吸引管路を利用して容器内に送り込まれた組織を組織捕獲面に捕獲し、吸引に用いた流体は組織捕獲面を通過して排出管路から排出される。組織を取り出す際には、上蓋部を容器から外すと、フィルタ部が上蓋部と共に容器から取り外される。この際、組織捕獲面が取り出し方向に垂直に配置されているので、組織が組織捕獲面から脱落することはない。
【０００７】
請求項４に係る発明は、採取した組織を内部に保存するための組織保存容器であって、組織をフィルタ部の組織捕獲面に捕獲した組織捕獲部材を受け入れ可能で、前記組織捕獲部材の上蓋部によって閉塞可能な開口部を有し、前記開口部の開口面は、前記組織捕獲面と平行であることを特徴とする組織保存容器とした。
この組織保存容器は、組織を組織捕獲面に捕獲した組織捕獲部材が装着される。フィルタ部は、上蓋部を組織保存容器に装着することで組織保存容器内に収容され、組織は、例えば、保存液に浸漬される。
【０００８】
請求項５に係る発明は、採取した組織を内部に保存するための組織保存容器であって、組織を捕獲する組織捕獲面を有するフィルタ部に上蓋部が着脱自在に取り付けられた組織捕獲部材を受け入れ可能で、前記上蓋部によって閉塞可能な開口部を有し、底部の内側に前記組織捕獲部材の前記フィルタ部に係合する係合部が設けられていることを特徴とする組織保存容器とした。
この組織保存容器は、組織を組織捕獲面に捕獲した組織捕獲部材が装着される。フィルタ部は、上蓋部を組織保存容器に装着することで組織保存容器内に収容され、係合部に係合される。
【０００９】
請求項６に係る発明は、請求項３に記載の組織捕獲装置を備えることを特徴とする内視鏡用処置具とした。
この内視鏡用処置具では、組織を組織捕獲装置の組織捕獲面に捕獲することができる。組織を取り出す際には、上蓋部を容器から外すと、フィルタ部が上蓋部と共に容器から取り出される。この際、組織捕獲面が取り出し方向に垂直に配置されているので、組織が組織捕獲面から脱落することはない。
【００１０】
請求項７に係る発明は、請求項３に記載の組織捕獲装置を備えることを特徴とする内視鏡とした。
この内視鏡では、内視鏡内の管路を用いて組織を組織捕獲装置の組織捕獲面に捕獲することができる。組織を取り出す際には、上蓋部を容器から外すと、フィルタ部が上蓋部と共に容器から取り出される。この際、組織捕獲面が取り出し方向に垂直に配置されているので、組織が組織捕獲面から脱落することはない。
【発明の効果】
【００１１】
本発明に係る捕獲部材、組織捕獲装置、内視鏡用処置具、内視鏡によれば、組織が送り込まれる容器に、組織を捕獲する組織捕獲面を有するフィルタ部を装着する際に、容器の開口部を閉鎖する上蓋部と一緒に取り扱うことが可能になるので、作業が容易になる。また、フィルタ部を容器から取り出す際にも上蓋部と一緒に取り扱うことが可能になるので、作業を確実に実施可能になり、かつ作業効率を向上させることができる。また、フィルタ部を取り扱う際に、組織捕獲面が組織の脱落を防止するように配置されているので、組織を確実に回収することができる。特に、連続生検を行う場合には、組織を効率良く回収できる。
【００１２】
本発明に係る組織保存容器では、組織を捕獲したフィルタ部を装着する際に、組織保存容器の開口部を閉鎖する上蓋部と一緒に取り扱うことが可能になるので、作業が容易になる。また、フィルタ部を組織保存容器から取り出す際にも上蓋部と一緒に取り扱うことが可能になるので、作業を確実に実施可能になり、かつ作業効率を向上させることができる。組織を保存する際に、組織保存容器に専用の蓋を装着する必要がなく、かつ組織捕獲部材から組織を取り出して組織保存容器に移し替える必要がないので、作業を簡略化することができる。また、フィルタ部を取り扱う際に、組織捕獲面が組織の脱落を防止するように配置されているので、組織を確実に、効率良く回収することができ、例えば、組織保存容器に保存液を貯溜させてある場合には、組織の脱落を防止しつつ保存液の流出を防止できる。
【発明を実施するための最良の形態】
【００１３】
以下、本発明の実施の形態について図面を参照しながら詳細に説明する。
図１に第１の実施の形態に係る組織捕獲装置を含む内視鏡用処置具の構成を示す。
図１に示すように、内視鏡用処置具である生検鉗子１は、介助者が操作する操作部２と、操作部２の先端から延びる長尺の挿入部３と、挿入部３の先端に設けられ、生体内の組織（生体組織）を採取する先端処置部４とを有している。
【００１４】
先端処置部４は、筒状の鉗子先端部５を有し、鉗子先端部５の先端部の外周には、一対のジョー６がピン７で開閉自在に取り付けられている。ジョー６においてピン７に軸支されている部分よりも基端側には、操作ワイヤ８が連結されており、ピン７よりも先端側には、生体組織を収容可能な組織収容空間９が互いに向かい合うように凹設されている。ここで、鉗子先端部５は中空の部材からなり、その内部には断面長円径の管１０Ａが挿入されている。この管１０Ａの内孔は組織吸引管路１０を形成し、管１０Ａと鉗子先端部５との間の空間が送水管路１１になっている。
【００１５】
挿入部３は、可撓性のシース１２の内側に、一対の操作ワイヤ８と、組織吸引管路１０とが挿通されている。したがって、挿入部３においても、組織吸引管路１０と、送水管路１１とが確保されている。
【００１６】
図１に示すように、操作部２は、細長の操作部本体１５を有し、操作部本体１５の先端部には挿入部３の基端部が挿入された状態で固定されている。操作部本体１５には、長手方向で先端側から、組織捕獲装置２０が取り付けられるケース取付部２１と、スライダ２２と、送水ポート２３と、吸引スイッチ２４とが配設されている。ケース取付部２１は、操作部本体１５の長手方向と直交するように突設されており、その一部に切り欠き部２５が形成されている。切り欠き部２５において、先端側に形成された円弧状の側部２５Ａには、組織吸引管路２６が開口している。この組織吸引管路２６は、挿入部３側の組織吸引管路１０に連結されている。さらに、ケース取付部２１の切り欠き部２５において、側部２５Ａに対して直交する端面２５Ｂには、流体排出管路２７が開口している。
【００１７】
スライダ２２は、操作部本体１５の長手方向に沿って形成されたスリット１５Ａに摺動自在に取り付けられており、挿入部３から引き出された一対の操作ワイヤ８（図２参照）が固定されている。送水ポート２３は、送水管路１１に連通する管路（不図示）に連結されており、送水源となるシリンジ２８を着脱自在な口金２９を有している。吸引スイッチ２４は、弾性部材３０を介して操作部本体１５の基端部に接続されており、操作部本体１５に向けて吸引スイッチ２４を押し込むと吸引を開始することができる。吸引スイッチ２４は、操作部本体１５内の流体排出管路２７に連通可能な管路が形成されており、この管路には吸引チューブ３１を介して吸引源３２が接続されている。なお、吸引スイッチ２４の基端には、術者が指をかけるリング３３が形成されている。
【００１８】
図３及び図４に示すように、組織捕獲装置２０は、有底筒状のケース４０と、ケース４１の開口部を覆うように着脱される組織捕獲部材４１とからなる。ケース４０の側部４０Ａの一部には、組織吸引管路２６の一部をなす開口部４２が形成されると共に、底部４０Ｂに流体排出管路２７の一部をなす開口部４３が形成されている。ケース４０は、ケース取付部２１に固着されることが好ましいが、不図示の係合手段によって着脱自在に構成されても良い。さらに、図５に示すように、ケース４０の内周で、底部４０Ｂ近傍には、複数の位置決め溝４４が周方向に等間隔に形成されている。さらに、ケース４０の開口部には、引っ掛かり部４５が径方向外側に向けてフランジ状に突設されている。
【００１９】
図３、図４及び図６に示すように、組織捕獲部材４１は、ケース４０側の引っ掛かり部４５に係合可能な爪部４６が形成された上蓋部４７と、上蓋部４７の下側に一体に形成されたフィルタ部４８とを有している。上蓋部４７は、ケース４０の内径に略等しい外径で、かつ軸線Ａ１に平行な断面視で凹形状の円盤部４９を有し、円盤部４９の外周面には、Ｏリング５０を挿入可能な溝５１が環状に形成されている。円盤部４９の上面の中央からは、ツマミ５２が軸線Ａ１方向に延びている。ツマミ５２は、円筒形状の一部が切り欠かれて平面視でＤ字形になっているが、切り欠きのない円筒形状でも良い。円盤部４９の下面４９Ａ（内面）は、組織捕獲部材４１をケース４０に装着したときに、ケース４０の底部４０Ｂ及びケース４０の開口面と平行になるように形成されている。
【００２０】
フィルタ部４８は、上蓋部４７の下方に設けられ、その外径はケース４０の内径に略等しい。フィルタ部４８は、周方向に等間隔に、かつ中心から放射状に延びる壁部５５を有している。壁部５５は、上蓋部４７の円盤部４９の下面４９Ａに一体に固定されている。このような壁部５５によって、フィルタ部４８には複数のフィルタ室５６が形成されている。各フィルタ室５６の底面５６Ａには、円形の組織捕獲面であるフィルタ保持面５７が１個ずつ形成されている。フィルタ保持面５７は、フィルタ部４８をテーパ状に凹設した底面からからなり、フィルタ保持面５７にはフィルタ部４８を軸線Ａ１方向に貫通する微小の貫通孔５８が複数形成されている。したがって、流体はフィルタ保持面５７を通過するが、生体組織はフィルタ保持面５７にトラップされる。フィルタ室５６の高さ、つまり上蓋部４７の円盤部４９の下面４９Ａとフィルタ室５６の底面５６Ａとの間の距離は、生体組織が通過可能な大きさになっている。また、フィルタ部４８の外周には、位置決め突起５９が複数形成されている。この位置決め突起５９は、図５に示すケース４０側の位置決め溝４４に係合可能に配置されている。さらに、フィルタ部４８の底部４８Ｂは、中心部が軸線Ａ１方向に延び、この底部４８Ｂのみがケース４０の底部４０Ｂに当接するようになっている。
【００２１】
また、図７及び図８に、組織捕獲部材４１と共に使用することができる組織保存容器６０を示す。組織保存容器６０は、有底筒形状を有し、底部６０Ｂと平行に開口する開口部が組織保存容器用フタ６１で密閉されている。組織保存容器６０内には、保存液６２が収容されている。組織保存容器６０の開口部の外周には、引っ掛かり部６３がフランジ状に突設されている。組織保存容器用フタ６１は、引っ掛かり部６３に係合可能な爪部６４が周方向に２つ延設されており、組織保存容器６０内に引き込まれる側部の外周には、Ｏリング６５を装着する溝６６が環状に形成されている。なお、組織保存容器６０は、組織捕獲装置２０のケース４０と等しい内径を有し、組織捕獲部材４１を挿入可能になっている。
【００２２】
次に、この実施の形態の作用について説明する。
まず、図４に示すように、ケース４０に組織捕獲部材４１を装着する。位置決め突起５９と位置決め溝４４とを係合させることで、１つのフィルタ室５６が組織吸引管路２６と、流体排出管路２７との間の流体経路上に配置される。上蓋部４７とケース４０とは、Ｏリング５０によって気密が保持され、爪部４６が引っ掛かり部４５に係合することで、組織捕獲部材４１の脱落が防止される。この状態で、生検鉗子１を不図示の内視鏡に挿通し、生体組織を採取する。より詳細には、スライダ２２を後退させて、操作ワイヤ８を介して一対のジョー６の基端部を引き、ジョー６の先端部を閉じて、生検鉗子１の挿入部３を不図示の内視鏡に挿通し、先端処置部４を不図示の内視鏡先端から突き出す。その後、スライダ２２を前進させて操作ワイヤ８を前進させ、一対のジョー６の先端部を開く。この状態で、生検鉗子１全体を前進させて目的の生体組織に押し当ててから、スライダ２２を後退させる。操作ワイヤ８が後退して一対のジョー６の先端部が閉じ、組織収容空間９に生体組織が挟み込まれる。そして、生検鉗子１全体を引き戻すと、生体組織が引きちぎられる。次に、吸引スイッチ２４を押し込んで吸引を開始すると共に、送水ポート２３に装着したシリンジ２８から送水を行う。
【００２３】
シリンジ２８からの液体は、送水管路１１を通って、閉状態のジョー６の組織収容空間９に流入する。そして、組織収容空間９内の生体組織と共に組織吸引管路１０を通って体外に吸引される。組織吸引管路１０に吸引された生体組織は、挿入部３内を通って操作部本体１５の組織吸引管路２６から、組織捕獲装置２０のフィルタ室５６に導かれ、フィルタ保持面５７に捕獲される。液体は、貫通孔５８を通って流体排出管路２７から排出される。
【００２４】
連続生検を行う場合には、送水及び吸引を一度停止した後に、組織捕獲装置２０のツマミ５２を掴んで、組織捕獲部材４１を軸線Ａ１回りに所定角度回転させる。組織捕獲部材４１の位置決め突起５９と、ケース４０の位置決め溝４４の位置がずれて、生体組織を捕獲したフィルタ室５６とは異なるフィルタ室５６が組織吸引管路２６及び流体排出管路２７に連通する位置に配置される。ここで、ケース４０の内周と、組織捕獲部材４１のフィルタ部４８の外周との隙間は、生体組織の大きさに比べて十分に小さいので、生体組織がフィルタ室５６から脱離することはない。したがって、前記と同様にして先端処置部４で生体組織を引きちぎり、ジョー６を閉じた状態で送水及び吸引を行うと、フィルタ室５６のフィルタ保持面５７に新しい生体組織が１つ捕獲される。
【００２５】
生体組織の採取が終了したら、ツマミ５２が上向きになるように姿勢を戻してから、ツマミ５２を掴んで組織捕獲部材４１をケース４０から取り外す。図９に示すように、フィルタ保持面５７は、ツマミ５２に対して垂直に、かつケース４０の開口面に平行に形成されているので、生体組織Ｗが脱落することなくケース４０から取り出される。ケース４０から取り出した後には、組織保存容器６０内の保存液６２に生体組織Ｗを浸漬させて病理検査室などに搬送する。この際、組織保存容器６０は、組織保存容器用フタ６１を取り外し、組織捕獲部材４１をそのまま組織保存容器６０に装着する。
【００２６】
フィルタ保持面５７は、組織保存容器６０に組織捕獲部材４１を挿入する方向に対して垂直に形成されているので、生体組織Ｗはフィルタ室５６内に収容されたままで、図１０に示すように保存液６２に浸漬される。このとき、組織保存容器６０の引っ掛かり部６３と、組織捕獲部材４１の爪部４６とが係合し、組織保存容器６０が密閉されるので、搬送途中で保存液６２などが外部に飛散することはない。また、組織保存容器６０の内周と、組織捕獲部材４１のフィルタ部４８の外周との隙間は、生体組織Ｗの大きさに比べて十分に小さいので、生体組織Ｗがフィルタ保持面５７から脱落することはない。生体組織Ｗを取り出すときには、爪部４６の係合を解除してから、ツマミ５２を掴んで組織捕獲部材４１を組織保存容器６０から引き上げる。図１１に示すように、フィルタ保持面５７は、組織捕獲部材４１を引き上げる方向と垂直に、かつ組織保存容器６０の底部６０Ｂに平行な開口面と平行に形成されているので、生体組織Ｗがフィルタ保持面５７から脱落することはない。
【００２７】
この実施の形態によれば、生体組織Ｗを手元側で回収する組織捕獲装置２０をケース４０と、組織捕獲部材４１とから構成し、組織捕獲部材４１の上蓋部４７とフィルタ部４８を一体に構成したので、上蓋部４７をケース４０に対して着脱するだけで、フィルタ部４８をケース４０に着脱することが可能になる。したがって、上蓋部４７とフィルタ部４８とを別々に取り扱う場合に比べ、作業性が向上する。特に、内視鏡室などのように、比較的に暗い室内で作業を行う場合に作業を容易に、かつ確実に行えるようになる。
ケース４０の側部４０Ａに組織吸引管路２６の開口部４２を形成し、ケース４０の底部４０Ｂに流体排出管路２７の開口部４３を形成し、フィルタ部４８によって仕切られフィルタ室５６に流体を通流させて生体組織Ｗを捕獲するようにしたので、組織捕獲部材４１を着脱する際に、従来のように管路を取り外したり、装着したりする必要がなくなる。したがって、作業効率が向上する。
ケース４０の底部４０Ｂに平行な上蓋部４７の下面４９Ａと、フィルタ保持面５７とを平行に配置したので、組織捕獲部材４１をケース４０から取り外す際に、生体組織Ｗがフィルタ保持面５７から脱落することはない。特に、連続生検する場合のように、１つのフィルタ部４８に複数の生体組織Ｗを捕獲する場合には、生体組織Ｗがケース４０内に脱落して見分けが付かなくなることが防止される。
【００２８】
また、生体組織Ｗを保存液６２に浸漬して保存する際に、組織保存容器６０に対して組織捕獲部材４１を着脱すれば良いので、従来のようにフィルタから生体組織を取り出して移し替える作業が不要になる。上蓋部４７とフィルタ部４８を一体にすることで暗室において作業が容易、かつ確実に行えるようになることについては、前記と同様である。また、生体組織Ｗを保存液に浸漬させた後に、別体の蓋を組織保存容器６０に取り付ける手間を省略することができる。
組織保存容器６０の底部６０Ｂに平行な上蓋部４７の下面４９Ａと、フィルタ保持面５７とを平行に配置したので、組織捕獲部材４１を組織保存容器６０に装着する際、及び組織保存容器６０から組織捕獲部材４１を取り出す際に、生体組織Ｗがフィルタ保持面５７から脱落することが防止される。特に、連続生検する場合のように、１つのフィルタ部４８に複数の生体組織Ｗを捕獲する場合には、複数の生体組織Ｗが組織保存容器６０内に脱落して見分けが付かなくなることがなくなる。
【００２９】
次に、本発明の第２の実施の形態について図面を参照しながら詳細に説明する。この実施の形態は、組織捕獲部材の上蓋部と、フィルタ部とが必要に応じて分離できることを特徴とする。なお、第１の実施の形態と同じ構成要素には、同一の符号を付してある。また、重複する説明は省略する。
【００３０】
図１２に示すように、組織捕獲装置７０は、操作部２に固定されるケース４０と、ケース４０に装着される組織捕獲部材７１とを有している。なお、ケース４０は、側部４０Ａの開口部４２Ａが組織吸引管路２６を受け入れ可能に開口していること、及び底部４０Ｂの開口部４３Ａが流体排出管路２７の受け入れ可能に開口していることを除いて第１の実施の形態と同じである。
【００３１】
図１２及び図１３に示すように、組織捕獲部材７１は、上蓋部７２と、上蓋部７２に嵌合させたフィルタ部７３とから構成されている。上蓋部７２は、円盤部４９の外周に爪部４６が設けられ、中央にはツマミ７５が形成されている。ツマミ７５は、円盤部４９を変形させることで形成された中空の凸部からなり、平面視でＤ字形になっている。フィルタ部７３は、放射状に延びる複数の壁部５５が円盤部４９の下面４９Ａに当接可能に設けられ、これら壁部５５によってフィルタ保持面５７を有するフィルタ室５６が複数仕切られている。さらに、フィルタ部７３の中央には、嵌合部７６が突設されている。嵌合部７６は、上蓋部７２側のツマミ７５の内側に嵌入可能な形状になっている。これにより、ツマミ７５を回すと、上蓋部７２と共にフィルタ部７３が回転する。ここで、嵌合部７６とツマミ７５の係合力は、爪部４６とケース４０側の引っ掛かり部４５との係合力よりも大きくなっている。
【００３２】
なお、図１４及び図１５に示すように、組織捕獲部材７１は、組織保存容器６０に装着された状態で保管、運搬されることが好ましい。ここで、嵌合部７６とツマミ７５の係合力は、爪部４６と組織保存容器６０側の引っ掛かり部６３との係合力よりも大きくなっている。
【００３３】
この実施の形態の作用について説明する。
図１６に示すように、最初に組織保存容器６０から組織捕獲部材７１を取り出し、上蓋部７２にフィルタ部７３を嵌合させた状態でケース４０に装着する。生体組織Ｗを捕獲する作業は、第１の実施の形態と同じである。必要な生体組織Ｗの捕獲が終了したら、爪部４６の係合を解除して組織捕獲部材７１をケース４０から取り外す。上蓋部７２のツマミ７５とフィルタ部７３の嵌合部７６との係合力が上蓋部７２の爪部４６と組織保存容器６０の引っ掛かり部６３との係合力よりも強いので、フィルタ部７３は、上蓋部７２と共にケース４０から取り出される。この際に、フィルタ保持面５７は、組織捕獲部材７１の引き出し方向と垂直に、つまりケース４０の開口面と平行に配置されているので、フィルタ保持面５７から生体組織Ｗが脱落することはない。図１７に示すように、生体組織Ｗを組織保存容器６０に収容する際には、上蓋部７２にフィルタ部７３を嵌合させたままで組織保存容器６０に装着する。組織保存容器６０を組織捕獲部材７１ごと検査室に搬送したら、爪部４６の係合を解除し、上蓋部７２を組織保存容器６０から取り外す。上蓋部７２のツマミ７５とフィルタ部７３の嵌合部７６との係合力が上蓋部７２の爪部４６と組織保存容器６０の引っ掛かり部６３との係合力よりも強いので、フィルタ部７３は上蓋部７２と共に組織保存容器６０から取り出される。この際、前記したように生体組織Ｗの脱落が防止される。
【００３４】
さらに、図１８及び図１９に示すように、フィルタ部７３に対して上蓋部７２を引き上げて、ツマミ７５と嵌合部７６の嵌合を解除させる。フィルタ保持面５７の上方に平行に配置されていた上蓋部７２が脱離してフィルタ保持面５７の上方が大きく開くので、ここから生体組織Ｗを取り出す。
【００３５】
この実施の形態では、ケース４０や、組織保存容器６０に着脱する際には、上蓋部７２とフィルタ部７３とを一体的に取り扱うことができる。したがって、第１の実施の形態と同様の効果が得られる。さらに、生体組織Ｗをフィルタ保持面５７から取り出す際に、上蓋部７２をフィルタ部７３から離脱させるようにしたので、生体組織Ｗをフィルタ保持面５７から取り出す作業が容易になる。
【００３６】
ここで、図２０から図２３に本実施の形態の変形例を示す。
図２０に示すように、組織捕獲部材８０の上蓋部８１は、ツマミ７５の上端部に環状のフランジ８２が径方向外側に向けて延設されており、中央には貫通孔８３が軸線と平行に形成されている。フィルタ部８４は、嵌合部７６の上端かつ中央からロッド状のプッシャ部８５が軸線Ａ３と平行に延設されている。プッシャ部８５の外径は、上蓋部８１の貫通孔８３の内径に略等しい。なお、プッシャ部８５の径は一定で、プッシャ部８５の長さＬ１は、ツマミ７５の長さＬ２よりも大きい。
【００３７】
生体組織Ｗを採取する際には、プッシャ部８５を貫通孔８３に挿通させ、上蓋部８１にフィルタ部８４を嵌合させた状態で使用する。ケース４０に装着して生体組織Ｗを採取してから組織保存容器６０に装着するまでの間は、上蓋部８１とフィルタ部８４の嵌合状態を維持したままで前記と同様にして作業を行う。図２１に示すように、組織保存容器６０から生体組織Ｗを取り出す際には、ツマミ７５のフランジ８２に下側から指を掛けて、プッシャ部８５を押し込む。上蓋部８１には上向きの力が作用する一方で、フィルタ部８４には下向きの力が作用し、ツマミ７５と嵌合部７６の嵌合が解除される。その結果、図２２及び図２３に示すように、上蓋部８１のみが組織保存容器６０から取り出され、フィルタ部８４は組織保存容器６０内に留置される。この後は、組織保存容器６０内にフィルタ部８４を留置させたままで生体組織Ｗを取り出しても良いし、フィルタ部８４を組織保存容器６０から取り出してから、生体組織Ｗを取り出しても良い。
【００３８】
この組織捕獲部材８０では、前記した組織捕獲部材７１に比べて上蓋部８１とフィルタ部８４の嵌合を解除し易くなり、作業性がさらに向上する。なお、プッシャ部８５は、嵌合部７６に連なる基端部から先端部に向かって縮径するようにテーパ状に形成しても良い。この場合には、上蓋部８１とフィルタ部８４の係合を解除させる際に、プッシャ部８５を押し込むに従って徐々に係合力が弱くなり、少ない力で係合を解除させることが可能になる。また、スナップフィットを用いてツマミ７５と嵌合部７６とを係脱できるようにしても良い。
【００３９】
次に、本発明の第３の実施の形態について図面を参照しながら詳細に説明する。この実施の形態は、組織捕獲部材の上蓋部と、フィルタ部とが必要に応じて分離でき、かつフィルタ部を組織保存容器に係合可能に構成したことを特徴とする。なお、第１、２の実施の形態と同じ構成要素には、同一の符号を付してある。また、重複する説明は省略する。
【００４０】
図２４に示すように、組織捕獲部材９０は、上蓋部８１と、フィルタ部８４とを有し、フィルタ部８４の底部４８Ｂの中央には、係合用凹部９１が形成されている。係合用凹部９１は、底面側が開放されたスリットからなり、スリットの閉塞端側は球形に切り欠かれている。
図２５に示すように、組織保存容器１００は、その底部６０Ｂの内面中央に係合部である係合用凸部９２が突設されている。係合用凸部９２は、軸線Ａ４方向に延びる円柱部分を有し、円柱部分の先端は球状に拡げられている。ここで、係合用凸部９２と係合用凹部９１との係合強さは、上蓋部８１のツマミ７５とフィルタ部８４の嵌合部７６の係合力よりも大きくなっている。
【００４１】
この実施の形態の作用について説明する。
組織捕獲部材９０をケース４０に装着し、生体組織Ｗを捕獲した後にケース４０から取り出すまでは第２の実施の形態と同じである。図２６に示すように、組織捕獲部材９０を組織保存容器１００に装着する際には、フィルタ部８４の係合用凹部９１に組織保存容器１００の係合用凸部９２が嵌入され、フィルタ部８４と組織保存容器１００とが係合される。生体組織Ｗを取り出す際には、爪部４６の係合を解除して上蓋部８１を引き上げる。前記したように、上蓋部８１とフィルタ部８４が係合する力よりも、係合用凸部９２と係合用凹部９１の係合力の方が大きい。したがって、図２７に示すように、フィルタ部８４が上蓋部８１から外れて組織保存容器１００に留置される。生体組織Ｗは、組織保存容器１００内に留置されたフィルタ部８４から取り出される。
【００４２】
この実施の形態によれば、組織保存容器１００から上蓋部８１を取り出すだけで、上蓋部８１とフィルタ部８４とを分離することができるので、生体組織Ｗを簡単に取り出せるようになる。その他の効果は、第２の実施の形態と同様である。
【００４３】
なお、本発明は、前記の各実施の形態に限定されずに広く応用することができる。
例えば、図２８に示すように、組織捕獲装置２０を内視鏡１１０に一体的に取り付けることも可能である。内視鏡１１０は、体外で術者が操作をする内視鏡操作部１１１と、内視鏡操作部１１１の先端から延び、体内に挿入される内視鏡挿入部１１２とを有し、ユニバーサルケーブル１１３によって、不図示の制御装置や、送気・吸引源に接続されている。内視鏡操作部１１１には、内視鏡挿入部１１２の先端部を湾曲させるアングルノブ１１４や、種々のスイッチ１１５が配設されている。内視鏡操作部１１１の下方の側部には、処置具チャンネル１１６の開口が形成されており、ここから内視鏡用処置具である生検鉗子１が挿入される。内視鏡１１０内には、流体排出管１１８及び処置具チャンネル１１６に連通する組織吸引管路１１７が設けられており、組織吸引管路１１７は、組織捕獲装置２０のケース４０の側部４０Ａの開口部４２に接続されている。流体排出管１１８は、ケース４０の底部４０Ｂの開口部４３に接続されている。流体排出管１１８は、内視鏡１１０内及びユニバーサルケーブル１１３を通って不図示の吸引源に接続されている。この場合には、内視鏡１１０内の管路を使って生体組織Ｗを回収することが可能になるので、生検鉗子１の構成を簡略化することができる。組織捕獲装置２０自体による効果は、第１の実施の形態と同じである。なお、第２、第３の実施の形態における組織捕獲部材を使用することも可能であり、その場合には対応する実施の形態の効果が得られる。
【００４４】
また、各実施の形態において、内視鏡用処置具は、生検鉗子１に限定されずに、高周波スネアなどでも良い。
図４に例示される組織捕獲部材４１などのフィルタ室５６において、中心部寄りの傾斜面５６Ｂは、フィルタ保持面５７の周囲のテーパに連なる向きに形成されているが、この傾斜面５６Ｂとは逆向きに傾斜するように形成しても良く、軸線に平行な面でも良い。
【図面の簡単な説明】
【００４５】
【図１】本発明の実施の形態に係る組織捕獲装置を装着した生検鉗子の全体構成図である。
【図２】先端処置部の拡大図である。
【図３】組織捕獲装置の拡大図である。
【図４】組織捕獲装置の断面図である。
【図５】図３において組織捕獲部材を取り外した状態の図である。
【図６】組織捕獲部材の構成を示す図である。
【図７】組織保存容器を示す図である。
【図８】組織保存容器の断面図である。
【図９】組織捕獲部材の受け渡しを説明する図である。
【図１０】組織捕獲部材を組織保存容器に装着した際の断面図である。
【図１１】組織保存容器から組織捕獲部材を取り出した際の断面図である。
【図１２】組織捕獲装置の断面図である。
【図１３】組織捕獲部材の構成を示す図である。
【図１４】組織捕獲部材を組織保存容器に装着した際の断面図である。
【図１５】組織捕獲部材を組織保存容器に装着した図である。
【図１６】組織保存容器から組織捕獲部材を取り出した際の断面図である。
【図１７】生体組織を捕獲した組織捕獲部材を組織保存容器に装着した際の断面図である。
【図１８】組織保存容器から生体組織を取り出す手順を説明する断面図である。
【図１９】組織保存容器から生体組織を取り出す手順を説明する図である。
【図２０】組織捕獲部材を組織保存容器に装着した際の断面図である。
【図２１】上蓋部の取り外し手順を示す図である。
【図２２】上蓋部を取り外した際の断面図である。
【図２３】上蓋部を取り外した図である。
【図２４】組織捕獲部材の構成を示す断面図である。
【図２５】組織保存容器の断面図である。
【図２６】組織捕獲部材を組織保存容器に装着した際の断面図である。
【図２７】組織保存容器から生体組織を取り出す手順を説明する断面図である。
【図２８】組織捕獲装置を内視鏡に取り付けた状態を示す図である。
【符号の説明】
【００４６】
１      生検鉗子（内視鏡用処置具）
２０，７０      組織捕獲装置
２６      組織吸引管路
２７      流体排出管路
４０      ケース（容器）
４１，７１，８０，９０      組織捕獲部材
４７，７２，８１      上蓋部
４９Ａ      下面（内面）
４８，７３，８４      フィルタ部
５７      フィルタ保持面（組織捕獲面）
６０，１００      組織保存容器
９２      係合用凸部（係合部）
１１０    内視鏡
Ｗ      生体組織（組織）
【図１】
2007054250.tif 000003
【図２】
2007054250.tif 000004
【図３】
2007054250.tif 000005
【図４】
2007054250.tif 000006
【図５】
2007054250.tif 000007
【図６】
2007054250.tif 000008
【図７】
2007054250.tif 000009
【図８】
2007054250.tif 000010
【図９】
2007054250.tif 000011
【図１０】
2007054250.tif 000012
【図１１】
2007054250.tif 000013
【図１２】
2007054250.tif 000014
【図１３】
2007054250.tif 000015
【図１４】
2007054250.tif 000016
【図１５】
2007054250.tif 000017
【図１６】
2007054250.tif 000018
【図１７】
2007054250.tif 000019
【図１８】
2007054250.tif 000020
【図１９】
2007054250.tif 000021
【図２０】
2007054250.tif 000022
【図２１】
2007054250.tif 000023
【図２２】
2007054250.tif 000024
【図２３】
2007054250.tif 000025
【図２４】
2007054250.tif 000026
【図２５】
2007054250.tif 000027
【図２６】
2007054250.tif 000028
【図２７】
2007054250.tif 000029
【図２８】
2007054250.tif 000030